(57)【特許請求の範囲】
【請求項１】
上面が作業面とされた天板と、
前記天板を支持するとともに、該天板の下方空間を形成するように互いに離間して配設される複数の脚体と、
前記天板の下方空間に位置する配線収容部を覆うように、前記脚体同士の間に配設される化粧板と、
前記天板から垂設されて、前記化粧板を吊支する吊支部と、を備え、
前記天板の厚さ方向に突出する凸部と該厚さ方向に窪む凹部とが係合されて、前記化粧板が前記吊支部に吊支されており、
前記凸部と前記凹部とが係合された状態で、前記吊支部に対する前記化粧板の上方移動を規制する規制部が設けられることを特徴とするデスク装置。
【請求項２】
請求項１に記載のデスク装置であって、
前記天板における外周縁部に、該天板の厚さ方向に貫通するとともに、前記配線収容部に連通する配線挿通孔が形成されていることを特徴とするデスク装置。
【請求項３】
請求項１又は２に記載のデスク装置であって、
前記配線収容部には、前記吊支部の下方で前記化粧板を支持する支持部が設けられることを特徴とするデスク装置。
【発明の詳細な説明】
【技術分野】
【０００１】
本発明は、什器内部に電子機器等の配線収容部が形成されたデスク装置に関する。
【背景技術】
【０００２】
近年、執務用デスクを用いた業務として、電子機器を用いた業務を行う場合が非常に多くなっている。こうした事情に伴い、デスク装置には、電子機器等の配線を什器内部に収容するための配線収容部が設けられている。
【０００３】
この種のデスク装置として、例えば下記特許文献１に示されるような、上面が作業面とされた天板と、前記天板を支持するとともに、該天板の下方空間を形成するように互いに離間して配設される複数の脚体と、前記天板の下方空間に位置する配線収容部を覆うように、前記脚体同士の間に配設される化粧板（幕板）と、を備えたものが知られている。
【０００４】
配線収容部は、例えば、天板後部（作業面で作業する作業者から見て天板の奥部）に該天板の厚さ方向に貫通して開口された配線挿通孔を通して、天板上方から下方へと挿通された配線等を収容する空間であり、天板の下方空間における後方部（作業者から見て、天板の下方空間のうち奥部）に配置される。
また、化粧板は、脚体にボルト等により着脱可能に固定されているとともに、配線収容部の配線等を覆っており、該配線等によって天板の下方空間の外観（見映え）が損なわれるようなことを防止している。尚、ここで言う天板の下方空間の見映えとは、天板前部（作業者から見て天板の手前部）側から見た該下方空間における視認可能な部位の外観の良し悪しであり、以下の説明についても同様である。
【先行技術文献】
【特許文献】
【０００５】
【特許文献１】特開２００４−３４４５７３号公報
【発明の概要】
【発明が解決しようとする課題】
【０００６】
しかしながら、前述した従来のデスク装置では、下記の課題があった。
すなわち、この種のデスク装置においては、該デスク装置を使用する団体等の組織変更やレイアウトの変更に伴って、配線作業を行うことが多く、この配線作業の際に、化粧板を着脱する作業が煩雑となっていた。具体的に、化粧板が脚体にボルト等により固定されているため、該化粧板の取り外しや装着が面倒であり、配線収容部へのアクセスが困難であった。
また、化粧板を脚体に装着するためのネジ孔等を加工するため、製造が複雑となっており、製造費用や工数を削減することに改善の余地があった。
【０００７】
また、配線収容部に配線等を収容しない場合においては、化粧板を使用しない（デスク装置から取り外しておく）ことがあるが、この場合、脚体に形成された前記ネジ孔等が外部に露出されて、天板の下方空間の見映えが損なわれていた。
【０００８】
本発明は、このような事情に鑑みてなされたものであって、化粧板の着脱が簡単であるとともに、配線収容部へのアクセスが容易であり、製造を簡素化することができ、かつ、該化粧板を使用しない場合においても、天板の下方空間の見映えを良くできるデスク装置を提供することを目的としている。
【課題を解決するための手段】
【０００９】
このような課題を解決して、前記目的を達成するために、本発明は以下の手段を提案している。
すなわち、本発明のデスク装置は、上面が作業面とされた天板と、前記天板を支持するとともに、該天板の下方空間を形成するように互いに離間して配設される複数の脚体と、前記天板の下方空間に位置する配線収容部を覆うように、前記脚体同士の間に配設される化粧板と、前記天板から垂設されて、前記化粧板を吊支する吊支部と、を備え、前記天板の厚さ方向に突出する凸部と該厚さ方向に窪む凹部とが係合されて、前記化粧板が前記吊支部に吊支されており、前記凸部と前記凹部とが係合された状態で、前記吊支部に対する前記化粧板の上方移動を規制する規制部が設けられることを特徴とする。
【００１０】
本発明のデスク装置によれば、天板から吊支部が垂設されており、該吊支部によって化粧板を吊支するように構成されているので、化粧板の着脱が容易である。
すなわち、従来では、脚体にネジ孔等を形成するとともに、該ネジ孔等にボルト等を螺合する面倒な作業によって化粧板の着脱を行っていたが、本発明によれば、このような面倒な作業は必要なく、化粧板を吊支部に吊るす単純な作業によって、該化粧板を簡単に着脱することができる。
よって、この化粧板に覆われた配線収容部へのアクセスが容易であり、該配線収容部での配線作業等が簡便に行える。
また、従来では、互いに離間する脚体同士の間に化粧板を狭持させるように設けるため、該化粧板の外形が大きくなるとともに重量が重くなり、またこの化粧板の着脱の際、配線収容部のうちアクセス不要な領域まで開口・閉塞させる必要が生じて、配線作業等の作業性に改善の余地があった。
一方、本発明によれば、脚体の位置に係わらず化粧板を配置でき、また脚体同士の間で化粧板を複数に分割して設けることも容易であるから、化粧板の外形を小さくできるとともに軽量化でき、かつ、配線収容部のうち所望の領域に対してのみアクセスすることが可能であり、作業性がよい。
【００１１】
また、脚体に前記ネジ孔等を形成する必要がないことから、製造が簡単となり、製造費用や工数を削減することができる。
また、化粧板を装着することによって、天板の下方空間に簡単に配線収容部を区画できるとともに該配線収容部を覆うことができ、構造が簡単で該下方空間の外観（見映え）が良い。
【００１２】
一方、配線収容部に配線等を収容しない場合においては、化粧板を使用しない（デスク装置に装着しない）ことが考えられるが、この場合、対応する脚体部分が外部に露出されたとしても、該脚体部分には前記ネジ孔等が形成されていないから、天板の下方空間の見映えが損なわれるようなことがない。
【００１３】
このように、本発明によれば、化粧板の着脱が簡単であるとともに、配線収容部へのアクセスが容易であり、製造を簡素化することができ、かつ、該化粧板を使用しない場合においても、天板の下方空間の見映えを良くできるのである。
また、前記天板の厚さ方向に突出する凸部と該厚さ方向に窪む凹部とが係合されて、前記化粧板が前記吊支部に吊支されている。
化粧板に形成された凸部又は／及び凹部と、吊支部に形成された凹部又は／及び凸部とが係合されることによって、化粧板が吊支部に安定して支持されることになる。すなわち、化粧板及び吊支部における凸部と凹部との係合は、互いの凹凸形状を乗り越えない限り解除されないので、化粧板が吊支部から脱落するようなことが防止される。
このように、凹凸形状による簡単な構造を用いて、化粧板を吊支部に安定して装着できる。
また、吊支部に対する化粧板の着脱作業は、凸部と凹部との係合・解除によって簡単に行えるから、該着脱作業が容易である。
また、前記凸部と前記凹部とが係合された状態で、前記吊支部に対する前記化粧板の上方移動を規制する規制部が設けられる。
規制部が、吊支部に対する化粧板の上方移動を規制するので、化粧板が吊支部に装着された状態から、該化粧板が意図せず上方移動して吊支部から脱落するようなことが防止される。
【００１４】
また、本発明のデスク装置において、前記天板における外周縁部に、該天板の厚さ方向に貫通するとともに、前記配線収容部に連通する配線挿通孔が形成されていることとしてもよい。
【００１５】
この場合、天板の外周縁部に、配線収容部に連通する配線挿通孔が形成されているので、該天板の作業面に配線等を煩雑に載置するようなことなく、該配線等を取り纏めて配線挿通孔に通すことにより、配線収容部に明瞭に案内でき、配線作業が簡単になるとともに、天板の作業面を有効に使用できる。
尚、前記配線挿通孔を、天板後部（作業面で作業する作業者から見て天板の奥部）に配置した場合には、前述の効果がより顕著に得られることになり、天板上の見映えも良くなることから、好ましい。
【００２０】
また、本発明のデスク装置において、前記配線収容部には、前記吊支部の下方で前記化粧板を支持する支持部が設けられることとしてもよい。
【００２１】
この場合、化粧板は、吊支部に支持されつつ、該吊支部の下方において支持部にも支持されることから、該化粧板の取り付け姿勢が安定し、この化粧板のガタつきや振動等が防止される。
【発明の効果】
【００２２】
本発明のデスク装置によれば、化粧板の着脱が簡単であるとともに、配線収容部へのアクセスが容易であり、製造を簡素化することができ、かつ、該化粧板を使用しない場合においても、天板の下方空間の見映えを良くできる。
【図面の簡単な説明】
【００２３】
【図１】本発明の一実施形態に係るデスク装置を示す正面図である。
【図２】本発明の一実施形態に係るデスク装置を示す上面図である。
【図３】本発明の一実施形態に係るデスク装置を示す部分透過側面図である。
【図４】デスク装置の吊支部を示す正面図である。
【図５】デスク装置の吊支部を示す上面図である。
【図６】デスク装置の吊支部を示す側面図である。
【図７】デスク装置の化粧板を示す背面図である。
【図８】図７のＸ−Ｘ断面を示す図である。
【図９】図７のＹ−Ｙ断面を示す図である。
【図１０】吊支部に対して化粧板を取り付ける手順を説明する図である。
【図１１】吊支部に対して化粧板を取り付ける手順を説明する図である。
【図１２】吊支部に対して化粧板を取り付ける手順を説明する図である。
【発明を実施するための形態】
【００２４】
以下、本発明の一実施形態に係るデスク装置１について、図１〜図１２を参照して説明する。
本実施形態のデスク装置１は、例えば、病院の診察室において診察用デスクとして用いられるものである。
【００２５】
図１〜図３に示されるように、デスク装置１は、上面が作業面とされた天板２と、天板２を支持するとともに、該天板２の下方空間を形成するように互いに離間して配設される複数の脚体３と、天板２上に立設されるパネル部材４と、を備えている。
【００２６】
天板２は、板状をなしており、その厚さ方向を向く両外面のうち、一面が上面（作業面）とされ、他面が下面となっている。本実施形態では、天板２の厚さ方向が、鉛直方向に沿うように配設されている。図２において、この天板２は、間口方向（図２における左右方向）に長く、奥行き方向（図２における上下方向）に短い矩形板状をなしている。
尚、本明細書においては、天板２の厚さ方向を上下方向（高さ方向）と言い、該厚さ方向に沿う天板２のパネル部材４側を上方、脚体３側を下方と言う。また、天板２の間口方向（ワイド方向）に沿う方向を左右方向と言い、天板２の奥行き方向に沿う方向を前後方向と言う。
【００２７】
図３に示される側面視において、天板２後部（図３における右端部。尚、本実施形態で言う後部とは、具体的には後端部を指しており、以下同様）は、壁Ｗに接近又は当接して配置されている。また、図３に符号５で示されるものは、天板２の外周縁部に形成され、該天板２の厚さ方向に貫通するとともに、後述する配線収容部６に連通する配線挿通孔である。図示の例では、配線挿通孔５は、天板２後部に配置されている。
【００２８】
本実施形態では、脚体３は、板状をなしており、天板２の下面を支持するように左右方向に離間して一対設けられている。図３に示される側面視で、脚体３は、コ字状又はＣ字状に形成されている。また、脚体３の後部は、壁Ｗに接近又は当接して配置されている。図１において、これら脚体３は、床Ｆ上に立設されているとともに、天板２の左右方向の両端部に配置されている。これにより、天板２の下方において脚体３同士の間に位置する空間（天板２の下方空間）のスペースが確保されている。
【００２９】
パネル部材４は、画像データや文字データ等の各種情報を表示可能なディスプレイを前面に備えた電子機器を有し、天板２後部に立設されている。図３において、パネル部材４は、天板２の配線挿通孔５上に位置しており、該パネル部材４の配線等は、外部に露出されることなく配線挿通孔５に挿入されている。パネル部材４の後面は、壁Ｗに接近又は当接して配置されている。
【００３０】
そして、このデスク装置１は、天板２の下方空間に位置する配線収容部６を覆うように、脚体３同士の間に配設される化粧板７と、天板２から垂設されて、化粧板７を吊支する吊支部８と、を備えている。
【００３１】
図３に示されるように、本実施形態の配線収容部６は、天板２の下方空間における後方部（当該下方空間のうち壁Ｗ近傍）に配置されている。また、配線収容部６には、脚体３同士を連結するビーム９と、ビーム９に配設される配線受材１０と、が設けられている。
【００３２】
図１において、ビーム９は、左右方向に延びる棒状又は筒状をなしており、その両端部が脚体３において天板２の下方空間を向く側面（左右方向の内側を向く面）にそれぞれ連結されている。具体的に、ビーム９は、脚体３における上下方向の中央部よりも下方に位置する部位に連結されている。本実施形態のビーム９は、左右方向に垂直な断面が矩形とされた角筒状であり、例えば、前記断面がコ字状又はＣ字状をなす一対の板材同士を組み合わせて形成されている。
【００３３】
配線受材１０は、上方が開口されて左右方向に延びる容器状をなしている（図１１（ｂ）等を参照）。図１１（ｂ）において、配線受材１０は、化粧板７に当接される前板１０ａと、前板１０ａの後方に離間された後板１０ｂと、前板１０ａ及び後板１０ｂの下端部同士を繋ぐ底板１０ｃと、を備えている。詳しくは後述するが、配線部材１０の前板１０ａは、吊支部８の下方で化粧板７を支持する支持部となっている。
図１に示されるように、本実施形態では、配線受材１０はビーム９に複数設けられており、図示の例では、ビーム９上面に左右方向に間隔をあけて一対配設されている。
これら配線受材１０内（及びビーム９上）には、配線等の他、パソコン本体などの電子機器等が配設される。
【００３４】
化粧板７は、左右方向及び上下方向に拡がる板状をなしており、その厚さ方向（後述する前板７ａの厚さ方向）が前後方向に沿うように配設されている。図１に示されるように、本実施形態では、化粧板７は、左右方向に長く上下方向に短い矩形板状をなしており、天板２の下方空間に左右方向に並んで複数（図示の例では一対）配設されている。
また、吊支部８は、化粧板７に対して複数設けられており、図示の例では、１つの化粧板７に対して一対の吊支部８が設けられている。
【００３５】
図３において、化粧板７は、天板２の下方空間を前後に区画するように配設されており、該下方空間のうち、化粧板７の後方に位置する領域が前記配線収容部６とされ、化粧板７の前方に位置する領域が作業者の脚や椅子等の収容スペースとなっている。
【００３６】
図１に示されるように、化粧板７は、配線収容部６におけるビーム９、配線受材１０及び該配線受材１０の上方領域を覆っている一方、該化粧板７の上端部と天板２との間には若干の隙間が形成され、該化粧板７の下端部と床Ｆとの間にも若干の隙間が形成されている。
化粧板７の上端部と天板２との間の隙間は、作業者等が天板２前方から該天板２の下方空間を見た際に、該隙間を視認できない程度の大きさとなっている。また、化粧板７の下端部と床Ｆとの間の隙間は、椅子に座った作業者が後方に向けて脚を伸ばしたときに、そのつま先が収容可能な程度の大きさとなっている。
【００３７】
図７〜図９に示されるように、化粧板７は、本体部分である前板７ａと、前板７ａの左右方向の両端部においてそれぞれ折り返された側方折り返し部７ｂと、前板７ａの上端部において折り返された上方折り返し部７ｃと、前板７ａの下端部において折り返された下方折り返し部７ｄと、を備えている。
【００３８】
図７において、前板７ａには、その厚さ方向に貫通する通気孔１１が複数形成されている。
また、前板７ａの後面には、配線受材１０の前板（支持部）１０ａに係合する支持受部１２が配設されている。本実施形態では、支持受部１２は、左右方向に延びる帯板状をなしており、該支持受部１２の全長は、配線受材１０における前板１０ａの左右方向の長さに対応している。
【００３９】
支持受部１２の上側部分は、前板７ａの後面に密着されており、支持受部１２の下側部分は、前板７ａの後面から離間されているとともに、これらの間には隙間が形成されている。支持受部１２の下側部分と前板７ａの後面との間の隙間は、配線受材１０の前板１０ａの上端部を差し込み可能（受け入れ可能）な大きさとなっており、具体的には、該前板１０ａの板厚と同等又は僅かに大きく設定されている。
【００４０】
図８において、側方折り返し部７ｂは、前板７ａの側端部から後方（図８における下方）へ向けて折り返された後、さらに左右方向（図８における左右方向）の内側へ向けて折り返されていて、その断面がＬ字状となっている。
【００４１】
図９において、上方折り返し部７ｃは、前板７ａの上端部から後方（図９における右方）へ向けて折り返された上板１３と、該上板１３の後端部から下方（図９における下方）に向けて折り返された後板１４と、該後板１４の下端部から前方（図９における左方）へ向けて折り返された下板１５と、を備えている。上方折り返し部７ｃの断面はコ字状となっており、該上方折り返し部７ｃのうち、後板１４及び下板１５は、下方に向けて突出する凸部１６となっている。また、上板１３、後板１４、下板１５及び前板７ａの上端部に囲まれる領域は、上方に向けて窪む凹部１７となっている。
すなわち、本実施形態の化粧板７は、凸部１６及び凹部１７を備えている。
【００４２】
また、下方折り返し部７ｄは、前板７ａの下端部から該下端部との間に鈍角を形成するように、後方に向かうに従い漸次下方へ向けて傾斜して折り返された後、この傾斜部分との間に鈍角を形成するように後方に向けて折り返され、さらに上方へ向かって折り返されていて、その断面がＪ字状となっている。
【００４３】
図４〜図６に示されるように、吊支部８は、該吊支部８の上側部分をなし天板２に取り付けられる取付部８ａと、下側部分をなし化粧板７を支持する受け部８ｂと、を備えている。
【００４４】
取付部８ａは、本体部分である前板１８と、前板１８の左右方向の両端部からそれぞれ後方に向けて折り返された側板１９と、前板１８の上端部から後方に向けて折り返された上板２０と、前板１８の下端部から後方に向けて折り返された連結板２１と、を備えている。
取付部８ａは、上下方向に垂直な断面及び左右方向に垂直な断面が、それぞれコ字状となっている（図５及び図６を参照）。
【００４５】
図４において、前板１８は矩形状をなしており、その中央部（具体的には、中心より若干下側の部位）に取り付けネジ２２が螺着されている。取り付けネジ２２は、前板１８に対して該取り付けネジ２２の軸回りに回動可能に、後述する弾性部材２３を支持している。取り付けネジ２２の軸と連結板２１との距離、及び、取り付けネジ２２の軸と側板１９との距離は、互いに同等となっている。
また、上板２０には、上下方向に貫通する貫通孔２０ａが形成されており、該貫通孔２０ａを通してネジ部材（不図示）が天板２に螺着されることにより、吊支部８が天板２に固定支持される。
【００４６】
図６において、受け部８ｂは、連結板２１の後端部（図６における右端部）から下方（図６における下方）に向けて折り返された後板２４と、後板２４の下端部から前方（図６における左方）に向けて折り返された下板２５と、下板２５の前端部から上方（図６における上方）に向けて折り返された係止板２６と、を備えている。
受け部８ｂは、左右方向に垂直な断面が、Ｊ字状となっている。
また、後板２４の前面には、ゴム板等の弾性材料からなる振動防止部材２７が配設されている。図示の例では、振動防止部材２７は、後板２４の前面を覆うように、矩形板状に形成されている。
【００４７】
受け部８ｂのうち、係止板２６は、上方に向けて突出する凸部２８となっている。また、係止板２６、下板２５及び後板２４の下端部に囲まれる領域は、下方に向けて窪む凹部２９となっている。
すなわち、本実施形態の吊支部８は、凸部２８及び凹部２９を備えている。
【００４８】
そして、図１１（ｂ）に示されるように、化粧板７の凸部１６と吊支部８の凹部２９とが係合され、かつ、化粧板７の凹部１７と吊支部８の凸部２８とが係合されることにより、化粧板７が吊支部８に吊支されている。具体的には、凸部１６と凹部２９との係合により、吊支部８に対する化粧板７の下方へ向けた移動及び前後方向へ向けた移動が規制されている。また、凹部１７と凸部２８との係合により、吊支部８に対する化粧板７の前方への移動が規制されている。尚、凸部２８（係止板２６）の上端部が、凹部１７の上板１３に下方から当接されることにより、吊支部８が化粧板７を支持することとしてもよい。この場合、凹部１７と凸部２８との係合により、吊支部８に対する化粧板７の下方へ向けた移動も規制される。
【００４９】
図４〜図６において、弾性部材２３は、上端部が取り付けネジ２２に支持された回動部２３ａと、回動部２３ａの下端部に連結されたストッパー部２３ｂと、を備えている。本実施形態では、弾性部材２３は、回動部２３ａとストッパー部２３ｂとが一体に形成されて、吊支部８に配設されている。
【００５０】
回動部２３ａは、取付部８ａに対して弾性部材２３が回動されたときに、該取付部８ａの隅部（角部）をストッパー部２３ｂが回避可能又は乗り越え可能な程度の弾性を有している（図１２（ｂ）を参照）。
【００５１】
ストッパー部２３ｂは、概略直方体状をなしており、図４及び図６に示される状態では、その外面のうち取り付けネジ２２側を向く一面（上面）が連結板２１に接近又は当接配置されている。また、図１０（ａ）に示される状態では、ストッパー部２３ｂの前記一面は、側板１９に接近又は当接配置されている。
【００５２】
図１２（ａ）（ｂ）に示されるように、化粧板７が吊支部８に吊支された状態で、ストッパー部２３ｂは、その外面のうち取り付けネジ２２とは反対側を向く他面（つまり前記一面に背向する面）が化粧板７の上板１３に上方から当接している。この状態において、弾性部材２３のストッパー部２３ｂは、吊支部８の連結板２１と化粧板７の上板１３との間に狭まれつつ弾性変形させられているとともに、吊支部８に対して化粧板７を下方に向けて付勢している。
すなわち、化粧板７の凸部１６及び凹部１７と、吊支部８の凹部２９及び凸部２８とが係合された状態で、ストッパー部２３ｂは、吊支部８に対する化粧板７の上方移動を規制する規制部となっている。
【００５３】
次に、図１０〜図１２を参照して、化粧板７の装着手順について説明する。
図１０（ａ）（ｂ）に示されるように、まず、吊支部８の弾性部材２３を取り付けネジ２２の軸回りに回動させることにより、該弾性部材２３のストッパー部２３ｂを吊支部８の側板１９に対向配置させる。
【００５４】
この状態から、図１１（ａ）に示されるように、化粧板７の後板１４を吊支部８の振動防止部材２７に当接させつつ、化粧板７の前板７ａを配線受材１０の前板１０ａに当接させる。
【００５５】
次いで、吊支部８に対して化粧板７を下方移動させることにより、図１１（ｂ）に示されるように、化粧板７の下板１５を吊支部８の下板２５に当接させるとともに、化粧板７の支持受部１２の下側部分と前板７ａとの間の隙間に、配線受材１０の前板１０ａの上端部を挿入させる。
図１１（ｂ）において、化粧板７の下板１５の前端部は、吊支部８の係止板２６に後方から接近又は当接配置されている。また、化粧板７の支持受部１２の下側部分と前板７ａとの隙間に、配線受材１０の前板１０ａの上端部が係合されることにより、化粧板７が配線受材１０に固定支持されているとともに、配線受材１０に対する化粧板７の前後方向及び下方への移動が規制されている。
【００５６】
次いで、弾性部材２３を取り付けネジ２２の軸回りに回動させることにより、図１２（ａ）（ｂ）に示されるように、該弾性部材２３のストッパー部２３ｂを吊支部８の連結板２１に対向配置させるとともに、化粧板７の上板１３に上方から当接させる。
【００５７】
このように化粧板７を装着した後、例えば、配線収容部６の配線作業を行う必要が生じる等により、該化粧板７を取り外す場合には、前述とは逆の手順で作業を行えばよい。
【００５８】
以上説明したように、本実施形態のデスク装置１によれば、天板２から吊支部８が垂設されており、該吊支部８によって化粧板７を吊支するように構成したので、化粧板７の着脱が容易である。
すなわち、従来では、脚体にネジ孔等を形成するとともに、該ネジ孔等にボルト等を螺合する面倒な作業によって化粧板の着脱を行っていたが、本実施形態によれば、このような面倒な作業は必要なく、化粧板７を吊支部８に吊るす単純な作業によって、該化粧板７を簡単に着脱することができる。
よって、この化粧板７に覆われた配線収容部６へのアクセスが容易であり、該配線収容部６での配線作業等が簡便に行える。
また、従来では、互いに離間する脚体同士の間に化粧板を狭持させるように設けるため、該化粧板の外形が大きくなるとともに重量が重くなり、またこの化粧板の着脱の際、配線収容部のうちアクセス不要な領域まで開口・閉塞させる必要が生じて、配線作業等の作業性に改善の余地があった。
一方、本実施形態によれば、脚体３の位置に係わらず化粧板７を配置でき、また脚体３同士の間で化粧板７を複数に分割して設けることも容易である（図１に示される例では、一対の化粧板７が左右方向に隣接して配置されている）から、化粧板７の外形を小さくできるとともに軽量化でき、かつ、配線収容部６のうち所望の領域に対してのみアクセスすることが可能であり、作業性がよい。
具体的に、本実施形態においては、脚体３同士の間に例えば左右方向に隣接して３つ以上の化粧板７を設けることも可能であり、この場合、これら化粧板７のうち左右方向の両端部以外の部位に設けられる化粧板７の配置や形状は、脚体３の位置に特に拘束されない。
【００５９】
また、脚体３に前記ネジ孔等を形成する必要がないことから、製造が簡単となり、製造費用や工数を削減することができる。
また、化粧板７を装着することによって、天板２の下方空間に簡単に配線収容部６を区画できるとともに該配線収容部６を覆うことができ、構造が簡単で該下方空間の外観（見映え）が良い。
尚、本実施形態では、化粧板７の上端部と天板２との間の隙間が、天板２前方から作業者等が見て視認されない程度の大きさに設定されており、吊支部８は前記隙間にのみ露出されているから、前記下方空間の見映えが損なわれることはない。
【００６０】
一方、配線収容部６に配線等を収容しない場合においては、化粧板７を使用しない（デスク装置１に装着しない）ことが考えられるが、この場合、対応する脚体３部分（脚体３において左右方向の内側を向く側面部分）が天板２の下方空間を通して外部に露出されたとしても、該脚体３部分には前記ネジ孔等が形成されていないから、該下方空間の見映えが損なわれるようなことがない。
【００６１】
このように、本実施形態によれば、化粧板７の着脱が簡単であるとともに、配線収容部６へのアクセスが容易であり、製造を簡素化することができ、かつ、該化粧板７を使用しない場合においても、天板２の下方空間の見映えを良くできるのである。
【００６２】
また、天板２の外周縁部に、配線収容部６に連通する配線挿通孔５が形成されているので、該天板２の作業面（上面）に配線等を煩雑に載置するようなことなく、該配線等を取り纏めて配線挿通孔５に通すことにより、配線収容部６に明瞭に案内でき、配線作業が簡単になるとともに、天板２の作業面を有効に使用できる。
尚、本実施形態で説明したように、配線挿通孔５を、天板２後部（作業面で作業する作業者から見て天板２の奥部）に配置した場合には、前述の効果がより顕著に得られることになり、天板２上の見映えも良くなることから、好ましい。
【００６３】
また、化粧板７に形成された凸部１６及び凹部１７と、吊支部８に形成された凹部２９及び凸部２８とが係合されることによって、化粧板７が吊支部８に安定して支持されている。すなわち、化粧板７及び吊支部８における凸部１６、２８と凹部２９、１７との係合は、互いの凹凸形状を乗り越えない限り解除されないので、化粧板７が吊支部８から脱落するようなことが防止される。
このように、凹凸形状による簡単な構造を用いて、化粧板７を吊支部８に安定して装着できる。
また、吊支部８に対する化粧板７の着脱作業は、凸部１６、２８と凹部２９、１７との係合・解除によって簡単に行えるから、該着脱作業が容易である。
【００６４】
また、弾性部材２３のストッパー部（規制部）２３ｂが、吊支部８に対する化粧板７の上方移動を規制するので、化粧板７が吊支部８に装着された状態から、該化粧板７が意図せず上方移動して吊支部８から脱落するようなことが防止される。
特に、本実施形態で説明したように、化粧板７の下端部と床Ｆとの間に作業者の脚のつま先が収容可能な程度の隙間が設けられている場合においては、作業者が意図せずにつま先で化粧板７を押し上げるように付勢してしまうことが考えられる。このような場合であっても、本実施形態の構成によれば、化粧板７が吊支部８から脱落することがない。
【００６５】
また、配線収容部６には、吊支部８の下方で化粧板７を支持する配線受材１０の前板（支持部）１０ａが設けられているので、化粧板７は、その上端部が吊支部８に支持されつつ、該吊支部８の下方において該支持部にも支持されることになる。従って、デスク装置１に装着した化粧板７の取り付け姿勢が安定し、この化粧板７のガタつきや振動等が防止される。
【００６６】
尚、本発明は前述の実施形態に限定されるものではなく、本発明の趣旨を逸脱しない範囲において種々の変更を加えることが可能である。
【００６７】
例えば、前述の実施形態では、デスク装置１が、病院の診察用デスクとして用いられることとしたが、これに限定されるものではなく、それ以外の企業、官公庁、学校等の各種団体や個人用のデスク装置１として使用されてもよい。
【００６８】
また、天板２上にパネル部材４が立設されているとしたが、パネル部材４は設けられていなくてもよい。また、パネル部材４の代わりに（又はそれ以外に）、天板２の上面にＰＣ等の電子機器が配設されていてもよい。
【００６９】
また、天板２の厚さ方向が、鉛直方向に沿うように配設されているとしたが、鉛直方向に対して傾斜して配設されていてもよい。
【００７０】
また、天板２、脚体３、化粧板７、吊支部８、ビーム９、配線受材１０、支持受部１２、弾性部材２３及び振動防止部材２７の形状や数量は、前述の実施形態で説明したものに限定されない。
【００７１】
また、化粧板７が凸部１６及び凹部１７を備えており、吊支部８が凹部２９及び凸部２８を備えているとしたが、これに限定されるものではない。すなわち、例えば、凸部１６と凹部２９との組み合わせのみ、又は、凹部１７と凸部２８との組み合わせのみであっても構わない。また、例えば、支持受部１２及び前板７ａの隙間（凹部）と配線受材１０の前板１０ａ（凸部）との係合構造を、化粧板７と吊支部８との係合に用いても構わない。
【００７２】
また、吊支部８に振動防止部材２７が設けられているとしたが、振動防止部材２７が設けられていなくてもよい。ただし、前述の実施形態で説明したように振動防止部材２７が設けられていることにより、化粧板７のガタつきや振動が防止でき、好ましい。
【００７３】
また、弾性部材２３は、回動部２３ａとストッパー部２３ｂとが一体に形成されて、吊支部８に配設されているとしたが、これに限定されるものではない。すなわち、回動部２３ａとストッパー部２３ｂとは一体に形成されていなくてもよく、また弾性部材２３は、吊支部８以外の化粧板７や天板２に設けられていてもよい。また、弾性部材２３が、吊支部８、化粧板７及び天板２とは別体として（単体で）設けられていてもよい。また、弾性部材２３が、ストッパー部２３ｂのみで構成されていてもよい。
【００７４】
また、ストッパー部２３ｂが弾性変形可能であるとしたが、ストッパー部２３ｂは、弾性変形しなくても構わない。ただし、ストッパー部２３ｂが弾性変形可能とされていることにより、化粧板７のガタつきや振動が防止されることから、好ましい。
【００７５】
その他、本発明の前述の実施形態及び前記尚書きで説明した構成要素を、適宜組み合わせても構わない。また、本発明の趣旨を逸脱しない範囲において、前述の構成要素を周知の構成要素に置き換えることも可能である。
【符号の説明】
【００７６】
１  デスク装置
２  天板
３  脚体
５  配線挿通孔
６  配線収容部
７  化粧板
８  吊支部
１０ａ  前板（支持部）
１６、２８  凸部
１７、２９  凹部
２３ｂ  ストッパー部（規制部）
【図１】
0005934492.tif 000002
【図２】
0005934492.tif 000003
【図３】
0005934492.tif 000004
【図４】
0005934492.tif 000005
【図５】
0005934492.tif 000006
【図６】
0005934492.tif 000007
【図７】
0005934492.tif 000008
【図８】
0005934492.tif 000009
【図９】
0005934492.tif 000010
【図１０】
0005934492.tif 000011
【図１１】
0005934492.tif 000012
【図１２】
0005934492.tif 000013